(57)【要約】【課題】建物の壁との間に大きな隙間を形成することなく、建物の横に設置された設備の周囲を建物の壁を利用して囲うことが可能なメッシュフェンス及びその組立方法を提供する。【解決手段】メッシュフェンス１は、複数の横線材２４及び縦線材２３を格子状に組み合わせて形成され、左右方向の一端部が支柱に固定されたメッシュパネル２０と、回動自在に連結された２つの羽根板である第１羽根板１１及び第２羽根板１２を有し、一方の羽根板である第２羽根板１２が建物の壁４０に固定され、他方の羽根板である第１羽根板１１がメッシュパネル２０に固定された蝶番１０を備える。【選択図】図１
2016113862.tif 000002
【特許請求の範囲】
【請求項１】
複数の横線材及び縦線材を格子状に組み合わせて形成され、左右方向の一端部が支柱に固定されたメッシュパネルと、
回動自在に連結された２つの羽根板を有し、一方の羽根板が建物の壁に固定され、他方の羽根板が前記メッシュパネルに固定された蝶番とを備える
メッシュフェンス。
【請求項２】
前記メッシュパネルは、その上端部が巻回されて形成された胴縁を有し、
前記他方の羽根板の前記メッシュパネル側の端部は、前記胴縁内に挿入されて前記胴縁に固定されている
請求項１に記載のメッシュフェンス。
【請求項３】
前記他方の羽根板の前記メッシュパネル側の端部は、前記胴縁を構成する横線材に当接しており、
前記メッシュフェンスは、さらに、
前記胴縁の外側から前記胴縁を構成する横線材に当接し、前記他方の羽根板の前記メッシュパネル側の端部と共に前記胴縁を構成する横線材を挟着固定する押さえ部材を備える
請求項２に記載のメッシュフェンス。
【請求項４】
前記メッシュフェンスは、さらに、
前記胴縁を構成する横線材に当接するように前記胴縁内に挿入され、前記他方の羽根板の前記メッシュパネル側の端部が内部に挿入された胴縁金具と、
前記胴縁の外側から前記胴縁を構成する横線材に当接し、前記胴縁金具と共に前記胴縁を構成する横線材を挟着固定する押さえ部材を備える
請求項２に記載のメッシュフェンス。
【請求項５】
回動自在に連結された２つの羽根板を有する蝶番の一方の羽根板を複数の横線材及び縦線材を格子状に組み合わせて形成されたメッシュパネルに固定した後、回動により前記蝶番の２つの羽根板のなす角度を調整して建物の壁表面に前記他方の羽根板を位置させ、前記蝶番の他方の羽根板を建物の壁に固定する
メッシュフェンスの組立方法。
【発明の詳細な説明】
【技術分野】
【０００１】
本発明は、敷地境界等に設置されるメッシュフェンス及びその組立方法に関する。
【背景技術】
【０００２】
道路との境界や敷地同士の境界等を仕切る手段として支柱とパネル状の金網（メッシュパネル）とを組み合わせたメッシュフェンスが汎用されている。このようなメッシュフェンスにおいては一般に柱と柱との間にメッシュパネルを配し、柱から左右に継手金具を延出させ、これにより左右のメッシュパネルを支持させる。
【０００３】
例えば、特許文献１には、多数の縦線材と横線材とが互いに溶接されて構成される格子状の網の上下縁部が巻回されて胴縁となされたメッシュパネルを持つメッシュフェンスが開示されている。このメッシュフェンスにおいては、メッシュパネルの胴縁内に胴縁金具が挿入され、この胴縁金具の中空部に支柱の側壁に取り着けられた固定金具（継手金具）の一端が挿入されてメッシュパネルが支柱に取り付けられている。
【先行技術文献】
【特許文献】
【０００４】
【特許文献１】特許第３０２０４６５号公報
【発明の概要】
【発明が解決しようとする課題】
【０００５】
ところで、特許文献１に開示されている従来のメッシュフェンスは、例えば図８に示されるように、住宅、店舗又は倉庫等の建物１００の横に設置された室外機等の設備１１０の周囲に設けられ、建物１００の壁の一部を利用して設備１１０を囲うように設置されることが考えられる。このような場合、メッシュパネル１２０を取り付ける支柱１３０を建物１００の壁のすぐ横に設置する必要があり、支柱１３０の基礎を形成するためのスペースを支柱１３０と建物１００の壁との間に設ける必要がある。その結果、支柱１３０と建物１００の壁との間、つまりメッシュフェンスと建物１００の壁との間に大きな隙間ができてしまうという問題がある。
【０００６】
そこで、本発明は、かかる問題点に鑑み、建物の壁との間に大きな隙間を形成することなく、建物の横に設置された設備の周囲を建物の壁を利用して囲うことが可能なメッシュフェンス及びその組立方法を提供することを目的とする。
【課題を解決するための手段】
【０００７】
上記目的を達成するために、本発明の一態様に係るメッシュフェンスは、複数の横線材及び縦線材を格子状に組み合わせて形成され、左右方向の一端部が支柱に固定されたメッシュパネルと、回動自在に連結された２つの羽根板を有し、一方の羽根板が建物の壁に固定され、他方の羽根板が前記メッシュパネルに固定された蝶番とを備えることを特徴とする。
【０００８】
ここで、前記メッシュパネルは、その上端部が巻回されて形成された胴縁を有し、前記他方の羽根板の前記メッシュパネル側の端部は、前記胴縁内に挿入されて前記胴縁に固定されていてもよい。
【０００９】
また、前記他方の羽根板の前記メッシュパネル側の端部は、前記胴縁を構成する横線材に当接しており、前記メッシュフェンスは、さらに、前記胴縁の外側から前記胴縁を構成する横線材に当接し、前記他方の羽根板の前記メッシュパネル側の端部と共に前記胴縁を構成する横線材を挟着固定する押さえ部材を備えてもよい。
【００１０】
また、前記メッシュフェンスは、さらに、前記胴縁を構成する横線材に当接するように前記胴縁内に挿入され、前記他方の羽根板の前記メッシュパネル側の端部が内部に挿入された胴縁金具と、前記胴縁の外側から前記胴縁を構成する横線材に当接し、前記胴縁金具と共に前記胴縁を構成する横線材を挟着固定する押さえ部材を備えてもよい。
【００１１】
また、本発明の一態様に係るメッシュフェンスの組立方法は、回動自在に連結された２つの羽根板を有する蝶番の一方の羽根板を複数の横線材及び縦線材を格子状に組み合わせて形成されたメッシュパネルに固定した後、回動により前記蝶番の２つの羽根板のなす角度を調整して建物の壁表面に前記他方の羽根板を位置させ、前記蝶番の他方の羽根板を建物の壁に固定することを特徴とする。
【発明の効果】
【００１２】
本発明によれば、建物の壁との間に大きな隙間を形成することなく、建物の横に設置された設備の周囲を建物の壁を利用して囲うことが可能なメッシュフェンス及びその組立方法を実現することができる。
【図面の簡単な説明】
【００１３】
【図１】本発明の第１の実施形態に係るメッシュフェンスの構成を示す正面図である。
【図２】本発明の第１の実施形態に係るメッシュフェンスの構成を示す平面図である。
【図３】本発明の第１の実施形態に係るメッシュフェンスの構成を示す側面図である。
【図４】本発明の第１の実施形態に係るメッシュフェンスの蝶番の構成を示す図である。
【図５】本発明の第２の実施形態に係るメッシュフェンスの構成を示す正面図である。
【図６】本発明の第２の実施形態に係るメッシュフェンスの構成を示す平面図である。
【図７】本発明の第２の実施形態に係るメッシュフェンスの構成を示す側面図である。
【図８】メッシュフェンスの使用状態を説明するための図である。
【発明を実施するための形態】
【００１４】
以下、本発明の実施形態について、図面を用いて詳細に説明する。
（第１の実施形態）
本発明の第１の実施形態に係るメッシュフェンス１の構成及び組立方法について、図１〜図４を用いて説明する。
まず、メッシュフェンス１の構成について説明する。
【００１５】
図１は、メッシュフェンス１の構成を示す正面図である。図２は、メッシュフェンス１の構成を示す平面図である。図３は、メッシュフェンス１の構成を示す側面図である。図４は、メッシュフェンス１の蝶番１０の構成を示す図である。
【００１６】
なお、図１はメッシュフェンス１を前方から見たときの図であり、図２はメッシュフェンス１を上方から見たときの図であり、図３はメッシュフェンス１を右側方の支柱から見たときに図である。
【００１７】
また、図４において、（ａ）は蝶番１０の左側面図、（ｂ）は蝶番１０の背面図、（ｃ）は蝶番１０の正面図、（ｄ）は蝶番１０の右側面図、（ｅ）は蝶番１０の上面図、（ｆ）は蝶番１０の下面図を示している。
【００１８】
メッシュフェンス１は、蝶番１０と、メッシュパネル２０と、蝶番１０を建物の壁４０に固定するためのボルト３０と、蝶番１０をメッシュパネル２０に固定するための胴縁金具３１と、押さえ部材３２と、ボルト３３とから構成されている。
蝶番１０は、軸ピン１５、第１羽根板１１及び第２羽根板１２を有する。
【００１９】
第１羽根板１１の左端部には一対の第１軸筒部１４が上下に並んで設けられており、第２羽根板１２の右端部には一対の第１軸筒部１４に上下方向で挟まれて第２軸筒部１３が設けられている。そして、一対の第１軸筒部１４と第２軸筒部１３とに軸ピン１５が挿通されることで、第１羽根板１１及び第２羽根板１２が軸ピン１５を回転軸として回動自在に連結される。
【００２０】
また、第１羽根板１１には、正面視でレーストラック形状の第１貫通孔１６が前後方向に貫通して形成されている。同様に、第２羽根板１２にも、正面視でレーストラック形状の第２貫通孔１７が前後方向に貫通して形成されている。そして、第１貫通孔１６及び第２貫通孔１７は、正面視で共に左右方向に長径、上下方向に短径を持ち、第１貫通孔１６及び第２貫通孔１７には、第１貫通孔１６及び第２貫通孔１７の短径と略同径の脚部を持つボルト３０及び３３が挿通される。従って、第１貫通孔１６及び第２貫通孔１７にボルト３０及び３３を挿通した状態でも、蝶番１０は上下方向の移動は制限されるものの左右方向の移動は可能であり、左右方向の位置調整は可能である。
【００２１】
メッシュパネル２０は、上下方向に延伸する多数の縦線材２１と左右方向に延伸する多数の横線材２２とが互いに溶接されて構成される格子状の網である。縦線材２１の上縁部は側面視で略円状となるように巻回されており、この巻回された縦線材２３とこれに溶接された横線材２４とにより胴縁２５が形成されている。
【００２２】
押さえ部材３２は、金属板材を略Ｕ字状に折り曲げて形成される金具である。押さえ部材３２は、下方から胴縁２５外側に嵌め込むことによりメッシュパネル２０に取り付けられ、その内周面は横線材２４に当接し、胴縁２５を前後方向に両側から挟み込んでいる。
【００２３】
押さえ部材３２には、胴縁２５前側の部分よりボルト３３が挿入され、胴縁２５後側の部分からボルト３３が突き出るように、ボルト３３が挿通されている。押さえ部材３２は、突き出たボルト３３の脚部にナットが締結されることにより、胴縁２５の横線材２４を胴縁金具３１の外周面に押さえ付けている。この押さえ付けた状態で、横線材２４は押さえ部材３２及び胴縁金具３１で狭着固定されている。
【００２４】
胴縁金具３１は、上面及び底面が開口した略角筒の中空金具であり、金属板材を折り曲げて形成される。胴縁金具３１は、その高さ方向を挿入方向としてメッシュパネル２０の胴縁２５に左方から挿入され、その外周面は胴縁２５内側から横線材２４に当接している。
【００２５】
胴縁金具３１の下方を向く側面には左右方向に走る溝が形成されており、その側面の溝に蝶番１０の第１羽根板１１が挿入され、第１羽根板１１の第１貫通孔１６が胴縁金具３１内部に位置するまで胴縁金具３１内部に押し入れられている。そして、押さえ部材３２に挿通されるボルト３３は、胴縁金具３１内部で第１羽根板１１の第１貫通孔１６内にも挿通されるため、ボルト３３により第１羽根板１１が胴縁金具３１内部に固定されている。
【００２６】
胴縁金具３１の下方を向く内面には左右方向に走る凹部が形成されており、その凹部内に第１羽根板１１の上端が嵌合している。従って、第１羽根板１１は胴縁金具３１に挿入された状態で、前後方向の移動は制限されるものの左右方向の移動は可能であり、左右方向の位置調整は可能である。
次に、メッシュフェンス１の組立方法について説明する。
最初に、建物の壁４０と間隔をあけて支柱が設置され、メッシュパネル２０の左右方向における一端部である右端部が支柱に固定される。
【００２７】
次に、メッシュパネル２０の他端部である左端部において、メッシュパネル２０の胴縁２５に胴縁金具３１が挿入され、さらに胴縁２５の横線材２４を挟んで胴縁金具３１の外側から押さえ部材３２が取り付けられる。このとき、胴縁金具３１に形成された前後方向に貫通する貫通孔と、押さえ部材３２に形成された前後方向に貫通する貫通孔とが連通するように、メッシュパネル２０に胴縁金具３１及び押さえ部材３２が取り付けられる。
【００２８】
次に、メッシュパネル２０の左端部において、胴縁２５に挿入された胴縁金具３１内に、第１羽根板１１の第１貫通孔１６と胴縁金具３１及び押さえ部材３２の貫通孔とが連通するように、蝶番１０の第１羽根板１１が挿入される。その後、この連通する貫通孔にボルト３３が挿通される。これにより、メッシュパネル２０の左端部に第１羽根板１１つまり蝶番１０がボルト３３を介して固定される。
【００２９】
最後に、軸ピン１５を中心として第１羽根板１１及び第２羽根板１２を回動させて両者のなす角度を調整し、建物の壁４０表面に蝶番１０の第２羽根板１２の裏面を位置させて、この状態で第２羽根板１２の第２貫通孔１７にボルト３０が挿通される。これにより、第２羽根板１２つまり蝶番１０がボルト３０を介して建物の壁４０に固定され、メッシュフェンス１が組み立てられる。
【００３０】
以上のように本実施形態のメッシュフェンス１は、複数の横線材２４及び縦線材２３を格子状に組み合わせて形成され、左右方向の一端部が支柱に固定されたメッシュパネル２０を備える。そして、メッシュフェンス１は、さらに、回動自在に連結された２つの羽根板である第１羽根板１１及び第２羽根板１２を有し、一方の羽根板である第２羽根板１２が建物の壁４０に固定され、他方の羽根板である第１羽根板１１がメッシュパネル２０に固定された蝶番１０を備える。
【００３１】
この構成により、メッシュパネル２０が蝶番１０により支柱を介さず建物の壁４０に直接固定されるので、建物の壁４０との間に大きな隙間を形成することなく、建物周囲の設備を建物の壁４０を利用して囲うことが可能なメッシュフェンス１を実現することができる。また、蝶番１０によりメッシュパネル２０と建物の壁４０とのなす角度を所望の角度にすることができ、組立が容易なメッシュフェンス１を実現することができる。
【００３２】
また、本実施形態のメッシュフェンス１では、メッシュパネル２０は、その上端部が巻回されて形成された胴縁２５を有し、第１羽根板１１のメッシュパネル２０側の端部は、胴縁２５内に挿入されて胴縁２５に固定されている。
【００３３】
そして、本実施形態のメッシュフェンス１は、さらに、胴縁２５を構成する横線材２４に当接するように胴縁２５内に挿入され、第１羽根板１１のメッシュパネル２０側の端部が内部に挿入された胴縁金具３１を備える。そして、メッシュフェンス１は、さらに、胴縁２５の外側から胴縁２５を構成する横線材２４に当接し、胴縁金具３１と共に胴縁２５を構成する横線材２４を挟着固定する押さえ部材３２を備える。
この構成により、押さえ部材３２及び胴縁金具３１により第１羽根板１１とメッシュフェンス１とを強固に連結することができる。
【００３４】
また、本実施形態のメッシュフェンス１の組立方法は、回動自在に連結された２つの羽根板である第１羽根板１１及び第２羽根板１２の一方の羽根板である第１羽根板１１を複数の横線材２４及び縦線材２３を格子状に組み合わせて形成されたメッシュパネル２０に固定する。その後、回動により蝶番１０の２つの羽根板である第１羽根板１１及び第２羽根板１２のなす角度を調整して建物の壁４０表面に他方の羽根板である第２羽根板１２を位置させ、蝶番１０の他方の羽根板である第２羽根板１２を建物の壁４０に固定する。
【００３５】
この構成により、蝶番１０により支柱を介さず建物の壁４０にメッシュパネル２０を直接固定できるので、建物の壁４０との間に大きな隙間を形成することなく、建物周囲の設備を建物の壁４０を利用して囲うことが可能なメッシュフェンス１の組立方法を実現することができる。また、蝶番１０によりメッシュパネル２０と建物の壁４０とのなす角度を所望の角度にすることができ、組立が容易なメッシュフェンス１の組立方法を実現することができる。
（第２の実施形態）
【００３６】
本発明の第２の実施形態に係るメッシュフェンス１ａの構成及び組立方法について、図５〜図７を用いて説明する。以下、第１の実施形態のメッシュフェンス１と異なる点を中心に説明する。
まず、メッシュフェンス１ａの構成について説明する。
【００３７】
図５は、メッシュフェンス１ａの構成を示す正面図である。図６は、メッシュフェンス１ａの構成を示す平面図である。図３は、メッシュフェンス１ａの構成を示す側面図である。
【００３８】
なお、図５はメッシュフェンス１ａを前方から見たときの図であり、図６はメッシュフェンス１ａを上方から見たときの図であり、図７はメッシュフェンス１ａを右側方の支柱から見たときに図である。
【００３９】
本実施形態のメッシュフェンス１ａは、縦線材２１の上縁部が側面視で略三角状となるように巻回されており、この巻回された縦線材２３ａとこれに溶接された横線材２４ａとにより胴縁２５ａが形成されている点で第１の実施形態のメッシュフェンス１と異なる。また、本実施形態のメッシュフェンス１ａは、胴縁金具３１を備えず、押さえ部材３２ａの形状が異なる点においても第１の実施形態のメッシュフェンス１と異なる。
【００４０】
メッシュフェンス１ａは、蝶番１０と、メッシュパネル２０ａと、蝶番１０を建物の壁４０に固定するためのボルト３０と、押さえ部材３２ａと、ボルト３３とから構成されている。
【００４１】
押さえ部材３２ａは、正面視が略矩形状の板状金具であり、金属板材より形成されている。押さえ部材３２ａの上下方向に長さは、上下方向で隣り合う横線材２４ａの間隔と略同じとされており、さらにその上下方向の端縁は後方に向かって立ち上げられている。従って、押さえ部材３２ａは、その上端縁が所定の横線材２４ａに当接して引っ掛かると共に、その下端縁が所定の横線材２４ａの下方に隣り合って位置する横線材２４ａに当接して引っ掛かるように、前方からメッシュパネル２０ａに取り付けることができる。この取り付け状態で、押さえ部材３２ａは、上下方向で隣り合う２本の横線材２４ａを上下方向から挟み込んでおり、上下方向の移動は制限されるものの左右方向の移動は可能であり、左右方向の位置調整は可能である。
【００４２】
押さえ部材３２ａの後方には２本の横線材２４ａを挟んで第１羽根板１１が設けられており、押さえ部材３２ａの前面よりボルト３３が挿入され、押さえ部材３２ａ後方の第１羽根板１１の後面からボルト３３が突き出るように、ボルト３３が挿通されている。押さえ部材３２ａは、突き出たボルト３３の脚部にナットが締結されることにより、横線材２４ａを第１羽根板１１の前面に押さえ付けて当接させる。この押さえ付けた状態で、横線材２４ａは押さえ部材３２ａ及び第１羽根板１１で狭着固定されている。
次に、メッシュフェンス１ａの組立方法について説明する。
最初に、建物の壁４０と間隔をあけて支柱が設置され、メッシュパネル２０ａの左右方向における一端部である右端部が支柱に固定される。
次に、メッシュパネル２０ａの左右方向の他端部である左端部において、胴縁２５ａに押さえ部材３２ａが取り付けられる。
【００４３】
次に、メッシュパネル２０ａの左端部において、胴縁２５ａ内に、第１羽根板１１の第１貫通孔１６と押さえ部材３２ａの貫通孔とが連通するように、蝶番１０の第１羽根板１１が挿入される。その後、この連通する貫通孔にボルト３３が挿通される。これにより、メッシュパネル２０ａの左端部に第１羽根板１１つまり蝶番１０がボルト３３を介して固定される。
【００４４】
最後に、軸ピン１５を中心として第１羽根板１１及び第２羽根板１２を回動させて両者のなす角度を調整し、建物の壁４０表面に蝶番１０の第２羽根板１２の裏面を位置させて、この状態で第２羽根板１２の第２貫通孔１７にボルト３０が挿通される。これにより、第２羽根板１２つまり蝶番１０がボルト３０を介して建物の壁４０に固定され、メッシュフェンス１ａが組み立てられる。
【００４５】
以上のように本実施形態のメッシュフェンス１ａ及びその組立方法は、第１の実施形態のメッシュフェンス１と同様の理由により、建物の壁４０との間に大きな隙間を形成することなく、建物の横に設置された設備の周囲を建物の壁４０を利用して囲うことが可能なメッシュフェンス１ａ及びその組立方法を実現することができる。また、組立が容易なメッシュフェンス１及びその組立方法を実現することができる。
【００４６】
また、本実施形態のメッシュフェンス１ａは、メッシュパネル２０ａは、その上端部が巻回されて形成された胴縁２５ａを有し、第１羽根板１１のメッシュパネル２０ａ側の端部は、胴縁２５ａ内に挿入されて胴縁２５ａに固定されている。
【００４７】
そして、本実施形態のメッシュフェンス１ａでは、他方の羽根板である第１羽根板１１のメッシュパネル２０ａ側の端部は、胴縁２５ａを構成する横線材２４ａに当接している。そして、メッシュフェンス１ａは、さらに、胴縁２５ａの外側から胴縁２５ａを構成する横線材２４ａに当接し、他方の羽根板である第１羽根板１１のメッシュパネル２０ａ側の端部と共に胴縁２５ａを構成する横線材２４ａを挟着固定する押さえ部材３２ａを備える。
この構成により、押さえ部材３２ａを介して第１羽根板１１とメッシュフェンス１ａとを強固に連結することができる。
【００４８】
以上、本発明のメッシュフェンス及びその組立方法について、実施形態に基づいて説明したが、本発明は、これらの実施形態に限定されるものではない。本発明の要旨を逸脱しない範囲内で当業者が思いつく各種変形を施したものも本発明の範囲内に含まれる。
【産業上の利用可能性】
【００４９】
本発明は、敷地境界等に設置されるメッシュフェンス及びその組立方法等において広く利用することができる。
【符号の説明】
【００５０】
１、１ａ    メッシュフェンス
１０    蝶番
１１    第１羽根板
１２    第２羽根板
１３    第２軸筒部
１４    第１軸筒部
１５    軸ピン
１６    第１貫通孔
１７    第２貫通孔
２０、２０ａ、１２０    メッシュパネル
２１、２３、２３ａ    縦線材
２２、２４、２４ａ    横線材
２５、２５ａ    胴縁
３０、３３    ボルト
３１    胴縁金具
３２、３２ａ    押さえ部材
４０    壁
１００    建物
１１０    設備
１３０    支柱
【図１】
2016113862.tif 000003
【図２】
2016113862.tif 000004
【図３】
2016113862.tif 000005
【図４】
2016113862.tif 000006
【図５】
2016113862.tif 000007
【図６】
2016113862.tif 000008
【図７】
2016113862.tif 000009
【図８】
2016113862.tif 000010